(57)【要約】【課題】ユーザにコンテンツを紹介する際に、コンテンツに対するユーザの関心度を向上させる。【解決手段】端末装置は、画像を表示する表示部と、コンテンツ配信装置から配信される動画像コンテンツの内容を示す静止画像と、動画像コンテンツの内容を示す動画像とをそれぞれ取得する取得部と、取得部が取得する動画像が表示される１つの動画像枠と、取得部が取得する静止画像が表示される少なくとも１つの静止画像枠とを含むコンテンツ枠が配置されたコンテンツ表を表示部に表示する表示制御部とを備える。【選択図】図１
2016194868.tif 000002
【特許請求の範囲】
【請求項１】
画像を表示する表示部と、
コンテンツ配信装置から配信される動画像コンテンツの内容を示す静止画像と、前記動画像コンテンツの内容を示す動画像とをそれぞれ取得する取得部と、
前記取得部が取得する前記動画像が表示される１つの動画像枠と、前記取得部が取得する前記静止画像が表示される少なくとも１つの静止画像枠とを含むコンテンツ枠が配置されたコンテンツ表を前記表示部に表示する表示制御部と
を備える端末装置。
【請求項２】
前記表示制御部は、
前記コンテンツ表の列方向を前記動画像コンテンツの配信時刻に応じた順にし、前記コンテンツ表の行方向を前記動画像コンテンツの内容の分類毎の順にして、前記コンテンツ表を前記表示部に表示する
請求項１に記載の端末装置。
【請求項３】
前記表示部に対する操作を検出する操作検出部
を備え、
前記表示制御部は、
前記操作検出部が検出する操作に応じた方向に、前記コンテンツ表内の前記コンテンツ枠の位置を移動させて、前記コンテンツ表を表示する
請求項１又は請求項２に記載の端末装置。
【請求項４】
前記表示制御部は、
前記操作検出部が検出する操作に応じた方向に、前記コンテンツ表内の前記コンテンツ枠の位置を移動させる場合に、移動前の前記静止画像枠の位置に移動後の前記動画像枠が位置する場合には、当該位置に表示される前記静止画像を、前記動画像に切り替えて表示する
請求項３に記載の端末装置。
【請求項５】
画像を表示する表示部を備える端末装置のコンピュータに、
コンテンツ配信装置から配信される動画像コンテンツの内容を示す静止画像と、前記動画像コンテンツの内容を示す動画像とをそれぞれ取得する取得ステップと、
前記取得ステップにおいて取得される前記動画像が表示される１つの動画像枠と、前記取得ステップにおいて取得される前記静止画像が表示される少なくとも１つの静止画像枠とを含むコンテンツ枠が配置されたコンテンツ表を前記表示部に表示する表示制御ステップと
を実行させるためのプログラム。
【発明の詳細な説明】
【技術分野】
【０００１】
本発明の実施形態は、端末装置及びプログラムに関する。
【背景技術】
【０００２】
従来、コンテンツリストを端末の表示画面上に表示してユーザに提示する技術として、例えば、特許文献１に記載されている技術が知られている。
【先行技術文献】
【特許文献】
【０００３】
【特許文献１】特開２０１０−２７７５１０号公報
【発明の概要】
【発明が解決しようとする課題】
【０００４】
しかし、この従来の技術によると、コンテンツを選択可能にするものの、コンテンツに対するユーザの関心度を向上させることまではできなかった。
【０００５】
本発明は、ユーザにコンテンツを紹介する際に、コンテンツに対するユーザの関心度を向上させることができる端末装置及びプログラムを提供することを目的とする。
【課題を解決するための手段】
【０００６】
本発明の一実施形態は、画像を表示する表示部と、コンテンツ配信装置から配信される動画像コンテンツの内容を示す静止画像と、前記動画像コンテンツの内容を示す動画像とをそれぞれ取得する取得部と、前記取得部が取得する前記動画像が表示される１つの動画像枠と、前記取得部が取得する前記静止画像が表示される少なくとも１つの静止画像枠とを含むコンテンツ枠が配置されたコンテンツ表を前記表示部に表示する表示制御部とを備える端末装置である。
【０００７】
また、本発明の一実施形態の端末装置において、前記表示制御部は、前記コンテンツ表の列方向を前記動画像コンテンツの配信時刻に応じた順にし、前記コンテンツ表の行方向を前記動画像コンテンツの内容の分類毎の順にして、前記コンテンツ表を前記表示部に表示する。
【０００８】
また、本発明の一実施形態の端末装置において、前記表示部に対する操作を検出する操作検出部を備え、前記表示制御部は、前記操作検出部が検出する操作に応じた方向に、前記コンテンツ表内の前記コンテンツ枠の位置を移動させて、前記コンテンツ表を表示する。
【０００９】
また、本発明の一実施形態の端末装置において、前記表示制御部は、前記操作検出部が検出する操作に応じた方向に、前記コンテンツ表内の前記コンテンツ枠の位置を移動させる場合に、移動前の前記静止画枠の位置に移動後の前記動画枠が位置する場合には、当該位置に表示される前記静止画を、前記動画に切り替えて表示する。
【００１０】
また、本発明の一実施形態は、画像を表示する表示部を備える端末装置のコンピュータに、コンテンツ配信装置から配信される動画像コンテンツの内容を示す静止画像と、前記動画像コンテンツの内容を示す動画像とをそれぞれ取得する取得ステップと、前記取得ステップにおいて取得される前記動画像が表示される１つの動画像枠と、前記取得ステップにおいて取得される前記静止画像が表示される少なくとも１つの静止画像枠とを含むコンテンツ枠が配置されたコンテンツ表を前記表示部に表示する表示制御ステップとを実行させるためのプログラムである。
【発明の効果】
【００１１】
本発明によれば、ユーザにコンテンツを紹介する際に、コンテンツに対するユーザの関心度を向上させることができる。
【図面の簡単な説明】
【００１２】
【図１】本実施形態の端末装置の構成の一例を示す模式図である。
【図２】本発明の一実施形態に係る端末装置のハードウェア構成例を示す図である。
【図３】本発明の一実施形態に係るコンテンツ紹介画像の構成例を示す図である。
【図４】本発明の一実施形態に係るコンテンツテーブルの構成例を示す図である。
【図５】本発明の一実施形態に係るコンテンツ再生制御方法の手順を示すフローチャートである。
【発明を実施するための形態】
【００１３】
［実施形態］
以下、図を参照して端末装置１の実施形態について説明する。
図１は、本実施形態の端末装置１の構成の一例を示す模式図である。本実施形態の端末装置１は、無線基地局３及びネットワークＮを介して、コンテンツ配信装置２にアクセスする。ネットワークＮは、無線通信ネットワークでもよく、有線通信ネットワークであってもよく、又は、無線通信ネットワークと有線通信ネットワークとの組み合わせであってもよい。
【００１４】
コンテンツ配信装置２は、コンテンツ記憶部２０を備えており、端末装置１からの要求に応じて、本動画像コンテンツを、要求元の端末装置１へ配信する。本動画像コンテンツは、例えば、映画やドラマ、音楽ビデオなどの本編である。
コンテンツ配信装置２は、端末装置１に対して、本動画像コンテンツの紹介用に作成されたコンテンツ紹介画像Ｐｚを配信する。このコンテンツ紹介画像Ｐｚには、本動画像コンテンツの紹介用に作成された動画像コンテンツ（以下、単に動画像コンテンツと称する。）と、本動画像コンテンツの紹介用に作成された静止画像（以下、単に静止画像と称する。）とが含まれる。動画像コンテンツは、本動画像コンテンツの例えば一部分又は予告編である。動画像コンテンツとして、例えば、映画やドラマ、音楽ビデオなどの本編の一部分又は予告編が挙げられる。静止画像は、例えば本動画像コンテンツの動画像ファイルから生成された静止画像である。静止画像として、例えば、映画やドラマ、音楽ビデオなどの本編の動画像ファイルから生成されたサムネイル画像が挙げられる。
コンテンツ配信装置２は、端末装置１に対して配信可能な本動画像コンテンツを、所定の時間ごとに更新する。所定の時間とは、例えば、１時間である。この例の場合、コンテンツ配信装置２は、１時間ごとに新たな本動画像コンテンツを配信可能にする。
【００１５】
図２は、本発明の一実施形態に係る端末装置１のハードウェア構成例を示す図である。
端末装置１は、表示部１０１と、操作検出部１０２と、制御部１０３と、記憶部１０４と、無線通信モジュール１０５と、音検出部１０６と、音出力部１０７とを備える。
無線通信モジュール１０５は、無線基地局３及びネットワークＮを介して、コンテンツ配信装置２にアクセスする。この無線通信モジュール１０５は、コンテンツ配信装置２からコンテンツ紹介画像Ｐｚを取得する。記憶部１０４には、無線通信モジュール１０５がコンテンツ配信装置２から取得したコンテンツ紹介画像Ｐｚが記憶される。制御部１０３は、端末装置１の表示部１０１に表示されるコンテンツ画像の表示制御を行う。この制御機能は、制御部１０３がコンピュータプログラムを実行することにより実現される。表示部１０１は、制御部１０３の制御に基づき、記憶部１０４に記憶されているコンテンツ紹介画像Ｐｚを表示画面上に表示する。操作検出部１０２は、タッチパネルを備えており、ユーザからの操作を受け付け、受け付けた操作の情報を制御部１０３へ出力する。音検出部１０６は、マイクを備えており、端末装置１の周囲の音を収音し、制御部１０３へ出力する。音出力部１０７は、スピーカを備えており、制御部１０３の制御に基づいて、音を出力する。
【００１６】
なお、端末装置１として、スマートフォンを一例にして説明するが、これに限られない。端末装置１として、汎用のコンピュータ装置を使用してもよく、又は、専用のハードウェア装置として構成してもよい。また、端末装置１として、携帯通信端末装置、タブレット型のコンピュータ装置、据置き型のパーソナルコンピュータ装置などを使用してもよい。
【００１７】
図３は、本発明の一実施形態に係るコンテンツ紹介画像Ｐｚの構成例を示す図である。このコンテンツ紹介画像Ｐｚには、ステータス表示画像Ｐｓｔと、チャネル表示画像Ｐｃｈと、メニュー画像Ｐｍｎと、検索画像Ｐｆｄと、音量操作画像Ｐｓｐと、コンテンツ画像とが含まれる。
ステータス表示画像Ｐｓｔとは、端末装置１の状態を示すアイコン等の画像である。チャネル表示画像Ｐｃｈとは、チャネルｃｈを選択するための操作用画像である。ここで、チャネルｃｈとは、コンテンツのジャンル毎にまとめられた、コンテンツのグループである。メニュー画像Ｐｍｎとは、操作メニューを表示するための操作用画像である。検索画像Ｐｆｄとは、コンテンツの検索機能を起動するための操作用画像である。音量操作画像Ｐｓｐとは、音出力部１０７から出力される音の音量を操作するための操作用画像である。
図３の例では、コンテンツ画像には、コンテンツ画像Ｐ１と、コンテンツ画像Ｐ２と、コンテンツ画像Ｐ３とが含まれる。各コンテンツ画像には、クリップ画像Ｐｃｌと、番組名表示画像Ｐｐｒｇとが含まれる。具体的には、コンテンツ画像Ｐ１には、クリップ画像Ｐｃｌ１と、番組名表示画像Ｐｐｒｇ１とが含まれる。コンテンツ画像Ｐ２には、クリップ画像Ｐｃｌ２と、番組名表示画像Ｐｐｒｇ２とが含まれる。また、コンテンツ画像Ｐ３には、クリップ画像Ｐｃｌ３が含まれる。クリップ画像Ｐｃｌとは、動画像コンテンツを”お気に入り”として一時保存するための操作用画像である。クリップ画像Ｐｃｌがタップ操作されると、当該動画像コンテンツのジャンルである”クリップ”に当該動画像コンテンツが追加される。
なお、表示部１０１の画面サイズの制約により、コンテンツ画像Ｐ３は、その一部のみが表示される。
【００１８】
図４は、本発明の一実施形態に係るコンテンツテーブルＴｃｈの構成例を示す図である。コンテンツテーブルＴｃｈとは、複数の動画像コンテンツの各々に対応するコンテンツ枠が配置された表である。このコンテンツテーブルＴｃｈは、記憶部１０４に格納される。図４の例では、コンテンツテーブルＴｃｈの各列は各チャネルｃｈ１，ｃｈ２，ｃｈ３，ｃｈ４，ｃｈ５，・・・に割り当てられる。チャネルは、例えば、動画像コンテンツのジャンル別に存在する。チャネルとして、例えば、邦画チャネル、洋画チャネル、ドラマチャネル、音楽ビデオチャネルなどが挙げられる。また、チャネルとして、ユーザへの推薦コンテンツを集めたチャネルや、ユーザがお気に入り登録した動画像コンテンツを集めたチャネルなどを設けてもよい。
【００１９】
図４の例では、コンテンツテーブルＴｃｈの各行はタイムラインＴＬの項番に割り当てられる。タイムラインＴＬの項番は、例えば、動画像コンテンツの追加が遅い方、つまり新しく配信された動画像コンテンツが小さい値である。この場合、各チャネルｃｈ１，ｃｈ２，ｃｈ３，ｃｈ４，ｃｈ５，・・・において、最新の動画像コンテンツには１番（ｔ１）が付与される。したがって、各チャネルｃｈ１，ｃｈ２，ｃｈ３，ｃｈ４，ｃｈ５，・・・において、最新の動画像コンテンツが１個追加されると、既存の動画像コンテンツの項番は１だけ増加する。
【００２０】
図４の例では、コンテンツテーブルＴｃｈは、チャネルｃｈ１，ｃｈ２，ｃｈ３，ｃｈ４，ｃｈ５，・・・毎に、各項番のコンテンツ枠を配置する。例えば、チャネルｃｈ１に対して、１番（ｔ１）のコンテンツ枠Ｃ１１、２番（ｔ２）のコンテンツ枠Ｃ１２、３番（ｔ３）のコンテンツ枠Ｃ１３などがコンテンツテーブルＴｃｈに配置される。つまり、コンテンツテーブルＴｃｈは、列方向を動画像コンテンツの配信時刻に応じた順にし、行方向を動画像コンテンツの内容の分類毎の順にして配置される。
【００２１】
ここで、表示部１０１が表示するコンテンツ画像（図３）と、記憶部１０４に記憶されるコンテンツテーブルＴｃｈ（図４）との関係について説明する。上述したように、コンテンツテーブルＴｃｈは、コンテンツ枠を配置する。この一例では、コンテンツテーブルＴｃｈに、コンテンツ枠が格子状に配置されている場合について説明する。表示部１０１には、コンテンツ枠に対応するコンテンツ画像が表示される。ここでは、コンテンツ枠Ｃ１１には、コンテンツ画像Ｐ１が、コンテンツ枠Ｃ１２には、コンテンツ画像Ｐ２が、コンテンツ枠Ｃ１３には、コンテンツ画像Ｐ３が、それぞれ対応する場合について説明する。表示部１０１には、コンテンツ枠Ｃ１１に対応するコンテンツ画像Ｐ１と、コンテンツ枠Ｃ１２に対応するコンテンツ画像Ｐ２と、コンテンツ枠Ｃ１３に対応するコンテンツ画像Ｐ３とが、それぞれ表示される（図３）。
【００２２】
次に、コンテンツ枠の移動について説明する。表示部１０１に表示されるコンテンツ画像の配置は、コンテンツテーブルＴｃｈによって予め定められている。また、表示部１０１に表示されるコンテンツ画像は、コンテンツ枠を、コンテンツテーブルＴｃｈ上において移動させることにより、変化する。
一例として、表示部１０１が表示するコンテンツ枠を、チャネルｃｈ方向に１つ分＋（プラス）方向に移動させた場合について説明する。この場合、表示部１０１には、コンテンツ枠Ｃ２１に対応するコンテンツ画像と、コンテンツ枠Ｃ２２に対応するコンテンツ画像と、コンテンツ枠Ｃ２３に対応するコンテンツ画像とが、それぞれ表示される。
さらに、表示部１０１が表示するコンテンツ枠を、タイムラインＴＬ方向に１つ分＋（プラス）方向に移動させた場合について説明する。この場合、表示部１０１には、コンテンツ枠Ｃ２２に対応するコンテンツ画像と、コンテンツ枠Ｃ２３に対応するコンテンツ画像と、コンテンツ枠Ｃ２４に対応するコンテンツ画像とが、それぞれ表示される。
【００２３】
つまり、表示部１０１は、コンテンツ枠をタイムラインＴＬ方向に移動させることにより、配信時刻が異なるコンテンツ画像を表示することができる。また、表示部１０１は、コンテンツ枠をチャネルｃｈ方向に移動させることにより、ジャンルが異なるコンテンツ画像を表示することができる。
【００２４】
次に、表示部１０１に表示される動画像コンテンツの表示位置と、静止画像の表示位置とについて説明する。制御部１０３は、表示部１０１に表示されるコンテンツ画像のうち、タイムラインＴＬの項番の最も小さいコンテンツ画像を、動画表示する。また、制御部１０３は、表示部１０１に表示されるコンテンツ画像のうち、動画表示されるコンテンツ画像以外のコンテンツ画像を、静止画表示する。図３の例では、制御部１０３は、コンテンツ画像Ｐ１を動画表示し、コンテンツ画像Ｐ２及びコンテンツ画像Ｐ３を静止画表示する。この例において、コンテンツ画像Ｐ１に対応するコンテンツ枠とは、動画像枠である。また、コンテンツ画像Ｐ２に対応するコンテンツ枠とは、静止画像枠である。換言すれば、制御部１０３は、端末装置１を操作するユーザから見て表示部１０１の上側のコンテンツ画像を動画表示する。すなわち、制御部１０３は、チャネル表示画像Ｐｃｈに近い側のコンテンツ画像を動画表示する。
【００２５】
次に、図５を参照して、本実施形態に係る端末装置１の動作を説明する。
図５は、本発明の一実施形態に係るコンテンツ再生制御方法の手順を示すフローチャートである。端末装置１において、所定の契機により図５の手順が開始される。例えば、ユーザが、コンテンツ再生アプリケーションを起動する操作を行うことによって、図５の手順が開始される。
【００２６】
制御部１０３は、端末装置１がオンラインであるか否かを判定する（ステップＳ１０）。制御部１０３は、端末装置１がオンラインでないと判定した場合（ステップＳ１０；ＮＯ）には、オフラインであることを示すオフライン画像（不図示）を表示して（ステップＳ９０）、一連の処理を終了する。一方、制御部１０３は、端末装置１がオンラインであると判定した場合（ステップＳ１０；ＹＥＳ）には、処理をステップＳ２０に進める。
【００２７】
制御部１０３は、コンテンツ配信装置２にアクセスして、チャネル情報を取得する（ステップＳ２０）。このチャネル情報には、上述したコンテンツ紹介画像Ｐｚが含まれる。コンテンツ配信装置２は、所定時間ごとに、新たなコンテンツ紹介画像Ｐｚを配信する。制御部１０３は、取得したチャネル情報に、新たなコンテンツ紹介画像Ｐｚが含まれている場合には、このコンテンツ紹介画像Ｐｚのジャンルに対応するチャネルのコンテンツ枠の項番を１つずつ増加させ、このコンテンツ紹介画像Ｐｚを１番のコンテンツ枠に割り当てる。
【００２８】
制御部１０３は、操作情報を取得する（ステップＳ３０）。ここで、操作情報とは、操作検出部１０２が検出した操作を示す情報である。この操作情報には、ユーザによるフリック操作を示す情報が含まれる。フリック操作には、上下左右の各方向への操作が含まれる。制御部１０３は、フリック操作の操作方向に基づいて、表示部１０１に表示するコンテンツ枠を移動させる。具体的には、制御部１０３は、操作情報が右フリックを示す場合（ステップＳ４０；ＹＥＳ）には、図４に示すチャネルｃｈの−（マイナス）方向にコンテンツ枠を移動させ（ステップＳ４５）、処理をステップＳ８０に進める。また、制御部１０３は、操作情報が左フリックを示す場合（ステップＳ５０；ＹＥＳ）には、図４に示すチャネルｃｈの＋（プラス）方向にコンテンツ枠を移動させ（ステップＳ５５）、処理をステップＳ８０に進める。制御部１０３は、操作情報が下フリックを示す場合（ステップＳ６０；ＹＥＳ）には、図４に示すタイムラインＴＬの−（マイナス）方向にコンテンツ枠を移動させ（ステップＳ６５）、処理をステップＳ８０に進める。制御部１０３は、操作情報が上フリックを示す場合（ステップＳ７０；ＹＥＳ）には、図４に示すタイムラインＴＬの＋（プラス）方向にコンテンツ枠を移動させ（ステップＳ７５）、処理をステップＳ８０に進める。また、制御部１０３は、操作情報が上下左右のいずれのフリック操作を示さない場合（ステップＳ７０；ＮＯ）には、一連の処理を終了する。
【００２９】
制御部１０３は、コンテンツ枠に対応するコンテンツ紹介画像Ｐｚを、表示部１０１に表示する（ステップＳ８０）。上述したように、コンテンツ紹介画像Ｐｚには、動画像コンテンツと、静止画像とが含まれる。制御部１０３は、複数のコンテンツ枠のうち、特定のコンテンツ枠に動画像コンテンツを表示し、他のコンテンツ枠に静止画像を表示する。具体的には、制御部１０３は、図３に示す複数のコンテンツ画像のうち、コンテンツ画像Ｐ１の動画像コンテンツを表示し、コンテンツ画像Ｐ２、及びコンテンツ画像Ｐ３の静止画像を表示する。
つまり、制御部１０３は、操作検出部１０２が検出する操作に応じた方向にコンテンツ枠の位置を移動させる。また、制御部１０３は、コンテンツ枠の位置の移動に伴って、コンテンツ枠に対応するコンテンツ画像を順次表示する。より具体的には、制御部１０３は、移動前の静止画像の枠の位置に、移動後の動画像コンテンツの枠が位置する場合には、当該位置に表示される静止画像を、動画像コンテンツに切り替えて表示する。
【００３０】
本実施形態によれば、本動画像コンテンツの紹介としてコンテンツテーブルＴｃｈに含まれるコンテンツ枠の動画像コンテンツが端末装置１の表示画面上で再生されるので、サムネイル画像のみでの本動画像コンテンツの紹介に比して、本動画像コンテンツに対するユーザの関心を引く効果が得られる。
【００３１】
また、本実施形態によれば、コンテンツ枠をユーザの操作によって移動させた場合においても、特定のコンテンツ枠に対応するコンテンツについて、動画コンテンツを表示する。したがって、本実施形態によれば、コンテンツ枠の移動に伴い、動画表示されるコンテンツが順次変化するため、サムネイル画像のみでの本動画像コンテンツの紹介に比して、本動画像コンテンツに対するユーザの関心を引く効果が得られる。
【００３２】
以上、本発明の実施形態について図面を参照して詳述してきたが、具体的な構成はこの実施形態に限られるものではなく、本発明の要旨を逸脱しない範囲の設計変更等も含まれる。
【００３３】
例えば、上述した図３に示されるコンテンツテーブルＴｃｈでは、各列にチャンネルｃｈ１，ｃｈ２，ｃｈ３，ｃｈ４，ｃｈ５，・・・を割り当てし、行を項番としたが、各行にチャンネルｃｈ１，ｃｈ２，ｃｈ３，ｃｈ４，ｃｈ５，・・・を割り当てし、列を項番としてもよい。また、項番は、新しい方の動画像コンテンツから順番に付与されてもよく、又は、古い方の動画像コンテンツから順番に付与されてもよい。また、項番は、一定数の個数だけ付与されてもよい。この場合、一定数の項番を超えるときには、例えば、古い方の動画像コンテンツをコンテンツ表から削除することが挙げられる。
【００３４】
また、端末装置１は、ウェブブラウザーを使用してコンテンツ配信装置２にアクセスするものであってもよい。
【００３５】
また、上述した端末装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００３６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３７】
１…端末装置、２…コンテンツ配信装置、１０１…表示部、１０２…操作検出部、１０３…制御部、１０４…記憶部、Ｔｃｈ…コンテンツテーブル
【図１】
2016194868.tif 000003
【図２】
2016194868.tif 000004
【図３】
2016194868.tif 000005
【図４】
2016194868.tif 000006
【図５】
2016194868.tif 000007